(57)【要約】【課題】一例として、筐体がより不都合の少ない新規な構成の複数の部材を有したテレビジョン受像機および映像表示装置を得る。【解決手段】実施形態にかかるテレビジョン受像機では、第一の部材と第二の部材とが突き合わされた部分が、表示画面に対する正面視で、開口部の第二の角部と、第一の部材または第二の部材の周縁側の第三の角部から第一の方向または第二の方向に沿った方向に離れた位置と、の間で、第一の方向および第二の方向と交叉した直線状に構成される。【選択図】図３
2014131244.tif 000002
【特許請求の範囲】
【請求項１】
表示画面と、当該表示画面の周縁側に位置され当該表示画面に対する正面視で第一の方向に沿って延びた第一の端部と、当該第一の端部と隣接し前記表示画面の周縁側に位置された第一の角部と、当該第一の角部に隣接し前記表示画面の周縁側に位置され前記表示画面に対する正面視で前記第一の方向と交叉した第二の方向に沿って延びた第二の端部と、を有し前記表示画面に対する正面視で矩形状の表示装置と、
前記第一の端部に沿って当該第一の端部を前記表示画面の正面側から覆った第一の壁部と当該第一の壁部の周縁側から前記表示画面の背後側に延びて前記第一の端部を覆った第二の壁部とを有した第一の部材と、前記第二の端部に沿って当該第二の端部を前記表示画面の正面側から覆った第三の壁部と当該第三の壁部の周縁側から前記表示画面の背後側に延びて前記第二の端部を覆った第四の壁部とを有した第二の部材と、を含み、前記表示画面が露出された開口部が設けられた筐体と、
を備え、
前記第一の部材と前記第二の部材とが突き合わされた部分が、前記表示画面に対する正面視で、前記開口部の第二の角部と、前記第一の部材または前記第二の部材の周縁側の第三の角部から前記第一の方向または前記第二の方向に沿った方向に離れた位置と、の間で、前記第一の方向および前記第二の方向と交叉した直線状に構成された、テレビジョン受像機。
【請求項２】
前記第二の方向に沿って延びた前記第二の端部が前記第一の方向に沿って延びた前記第一の端部より長く、
前記突き合わされた部分が、前記開口部の第二の角部と、前記第一の部材または前記第二の部材の周縁側の第三の角部から前記第二の方向に離れた前記位置と、の間で直線状に構成された、請求項１に記載のテレビジョン受像機。
【請求項３】
前記テレビジョン受像機が載置面上に載置された状態で、前記第二の端部が当該第二の端部とは反対側の端部よりも前記載置面の近くに位置された、請求項２に記載のテレビジョン受像機。
【請求項４】
前記第三の角部から前記第一の方向または前記第二の方向に沿った方向に離れた位置が、正面視で、第二の壁部の筐体内側の面の第一の壁部との境界線と重なるか、当該境界線よりも前記第三の角部側に位置された、請求項２または３に記載のテレビジョン受像機。
【請求項５】
前記突き合わされた部分を前記第四の壁部の前記表示装置とは反対側から覆う第三の部材を備えた、請求項２〜４のうちいずれか一つに記載のテレビジョン受像機。
【請求項６】
前記第四の壁部の筐体外側の面が、前記第二の壁部の端面よりも、前記表示装置から離れる側に突出した、請求項２〜５のうちいずれか一つに記載のテレビジョン受像機。
【請求項７】
表示画面を有した表示装置と、
前記表示装置の周縁部の前記表示画面側を覆い、一方向に沿って延びた第一の壁部と、
前記表示装置の周縁部の前記表示画面側を覆い、前記第一の壁部と前記表示画面に対する正面視で直線状の境界部分で突き合わされ、他方向に沿って延びた第二の壁部と、
を備え、
前記境界部分が、前記正面視で前記一方向および前記他方向と交叉し、
前記正面視で前記第一の壁部の外縁をなす直線またはその延長線と前記正面視で前記第二の壁部の外縁をなす直線またはその延長線との交点が、前記境界部分を含む直線とずれて位置された、テレビジョン受像機。
【請求項８】
表示画面と、当該表示画面の周縁側に位置され当該表示画面に対する正面視で第一の方向に沿って延びた第一の端部と、当該第一の端部と隣接し前記表示画面の周縁側に位置された第一の角部と、当該第一の角部に隣接し前記表示画面の周縁側に位置され前記表示画面に対する正面視で前記第一の方向と交叉した第二の方向に沿って延びた第二の端部と、を有し前記表示画面に対する正面視で矩形状の表示装置と、
前記第一の端部に沿って当該第一の端部を前記表示画面の正面側から覆った第一の壁部と当該第一の壁部の周縁側から前記表示画面の背後側に延びて前記第一の端部を覆った第二の壁部とを有した第一の部材と、前記第二の端部に沿って当該第二の端部を前記表示画面の正面側から覆った第三の壁部と当該第三の壁部の周縁側から前記表示画面の背後側に延びて前記第二の端部を覆った第四の壁部とを有した第二の部材と、を含み、前記表示画面が露出された開口部が設けられた筐体と、
を備え、
前記第一の部材と前記第二の部材とが突き合わされた部分が、前記表示画面に対する正面視で、前記開口部の第二の角部と、前記第一の部材または前記第二の部材の周縁側の第三の角部から前記第一の方向または前記第二の方向に沿った方向に離れた位置と、の間で、前記第一の方向および前記第二の方向と交叉した直線状に構成された、映像表示装置。
【発明の詳細な説明】
【技術分野】
【０００１】
本発明の実施形態は、テレビジョン受像機および映像表示装置に関する。
【背景技術】
【０００２】
従来、筐体の枠状部分が表示装置の周縁部を覆ったテレビジョン受像機が知られている。
【先行技術文献】
【特許文献】
【０００３】
【特許文献１】登録実用新案第３１５８３５４号公報
【発明の概要】
【発明が解決しようとする課題】
【０００４】
この種のテレビジョン受像機では、筐体を構成する複数の部材の境界部分の構成は、一例としては美観が損なわれにくい等、より不都合が少ないのが好ましい。
【０００５】
そこで、本発明の実施形態は、一例として、筐体がより不都合の少ない新規な構成の複数の部材を有したテレビジョン受像機および映像表示装置を得ることを目的の一つとする。
【課題を解決するための手段】
【０００６】
実施形態にかかるテレビジョン受像機は、一例として、表示装置と、筐体と、を備える。表示装置は、表示画面と、第一の端部と、第二の端部と、を有し、表示画面に対する正面視で矩形状である。第一の端部は、表示画面の周縁側に位置され当該表示画面に対する正面視で第一の方向に沿って延びる。第一の角部は、第一の端部と隣接し表示画面の周縁側に位置される。第二の端部は、第一の角部に隣接し表示画面の周縁側に位置され表示画面に対する正面視で第一の方向と交叉した第二の方向に沿って延びる。筐体は、第一の部材と、第二の部材と、を含み、表示画面が露出された開口部が設けられる。第一の部材は、第一の壁部と、第二の壁部とを有する。第一の壁部は、第一の端部に沿って当該第一の端部を表示画面の正面側から覆う。第二の壁部は、第一の壁部の周縁側から表示画面の背後側に延びて第一の端部を覆う。第二の部材は、第三の壁部と、第四の壁部とを有する。第三の壁部は、第二の端部に沿って当該第二の端部を表示画面の正面側から覆う。第四の壁部は、第三の壁部の周縁側から表示画面の背後側に延びて第二の端部を覆う。第一の部材と第二の部材とが突き合わされた部分が、表示画面に対する正面視で、開口部の第二の角部と、第一の部材または第二の部材の周縁側の第三の角部から第一の方向または第二の方向に沿った方向に離れた位置と、の間で、第一の方向および第二の方向と交叉した直線状に構成される。
【図面の簡単な説明】
【０００７】
【図１】図１は、実施形態にかかるテレビジョン受像機の一例の正面図である。
【図２】図２は、実施形態にかかるテレビジョン受像機の一例の一部の正面図である。
【図３】図３は、実施形態にかかるテレビジョン受像機の一例の第一の部材および第二の部材の、図２と同じ位置での正面図である。
【図４】図４は、実施形態にかかるテレビジョン受像機の一例の一部の分解斜視図であって、表示画面の背後側から見た図である。
【図５】図５は、実施形態にかかるテレビジョン受像機の一例の第一の部材および第二の部材の、図３の矢印V方向から見た図である。
【図６】図６は、実施形態にかかるテレビジョン受像機の一例の第一の部材の、図３の矢印V方向から見た図である。
【図７】図７は、実施形態にかかるテレビジョン受像機の一例の第二の部材の、図３の矢印V方向から見た図である。
【図８】図８は、実施形態にかかるテレビジョン受像機の一例の第一の部材の斜視図である。
【図９】図９は、実施形態にかかるテレビジョン受像機の一例の第二の部材の斜視図である。
【図１０】図１０は、パーティングラインの位置による不都合を説明するための参考図である。
【図１１】図１１は、実施形態にかかるテレビジョン受像機の一例の第一の壁部および第二の壁部の一部の正面図である。
【発明を実施するための形態】
【０００８】
以下に示される実施形態および変形例は、同様の構成を備える。以下では、それら同様の構成には共通の符号が付与され、重複する説明が省略される。各図では、便宜上、方向が示されている。Ｘ方向は、表示装置の長手方向、Ｙ方向は、表示装置の短手方向、Ｚ方向は、表示装置の厚さ方向である。Ｘ方向、Ｙ方向、およびＺ方向は、互いに交叉（直交）している。本実施形態では、Ｘ方向は、第二の方向の一例であり、Ｙ方向は、第一の方向の一例である。
【０００９】
本実施形態にかかる電子機器の一例であるテレビジョン受像機１（映像表示装置）は、図１に示されるように、筐体２と、支持部３（支部、台、スタンド）と、を備える。支持部３は、台や、机、棚等の載置部（載置面Ｐ）上に載置され、筐体２を支持する。また、支持部３は、筐体２を、回動可能（移動可能、変位可能、スライド可能）に支持することができる。回動モードとしては、例えば、スイベル、ピボット、チルト等がある。
【００１０】
本実施形態では、一例として、図１に示されるように、筐体２は、面４ａに対する正面視（以下、単に正面視と記す、図１の視線）では矩形状（長方形状、四角形状）に構成されている。筐体２は、前後方向（表示装置４の厚さ方向）に薄い扁平な直方体状に構成されている。筐体２は、面２ａ（正面、前面、表面）とこの反対側の面２ｂ（背面、後面、裏面）と、を有する。面２ａと面２ｂとは略平行である。筐体２は、正面視（および背面視）では、四つの端部２ｃ〜２ｆ（辺部、縁部）と、四つの角部２ｇ〜２ｊ（尖部、曲部、端部）と、を有する。なお、端部２ｃ，２ｅは、短辺部の一例である。端部２ｄ，２ｆは、長辺部の一例である。また、本実施形態では、角部２ｇは、第三の角部の一例である。
【００１１】
また、筐体２は、一例として、壁部２ｋ（前壁部、表壁部）と、壁部２ｍ（後壁部、裏壁部）と、を有する。壁部２ｋは、面２ａを有する。壁部２ｍは、面２ｂを有する。壁部２ｋは、矩形枠状かつ板状（本実施形態では、一例として長方形の枠状かつ板状）である。また、壁部２ｍは、矩形状の板状（本実施形態では、一例として長方形状の板状）である。また、筐体２は、一例としては、四つの壁部２ｎ（側壁部、端壁部、立壁部、亘部）を有する。壁部２ｎは、壁部２ｋと壁部２ｍとの間に亘った面２ｐ（側面、周面）を有する。そして、壁部２ｋには、一例としては矩形状の開口部２ｒが設けられている。筐体２は、例えば、合成樹脂材料や金属材料等で構成されうる。本実施形態では、開口部２ｒの角部２ｒ１は、第二の角部の一例である。
【００１２】
筐体２内には、表示装置４（表示部、ディスプレイ、パネル）の少なくとも一部が収容されている。本実施形態では、一例として、表示装置４の、面２ａ側に位置した面４ａ（表示画面）は、開口部２ｒを介して筐体２の前方（外方）に露出しており、使用者は、前方側から開口部２ｒを介して面４ａを視認することができる。面４ａには、画像（映像）が表示される。本実施形態では、一例として、表示装置４は、正面視では矩形状（本実施形態では、一例として長方形状）に構成されている。また、表示装置４は、前後方向に薄い扁平な直方体状に構成されている。表示装置４は、端部４ｃ〜４ｆと、角部４ｇ〜４ｊと、を有する。本実施形態では、端部４ｃは、第一の端部の一例であり、端部４ｄは、第二の端部の一例であり、角部４ｇは、第一の角部の一例である。
【００１３】
また、表示装置４は、例えば、液晶ディスプレイ（ＬＣＤ，liquid crystal display）や有機ＥＬディスプレイ（ＯＥＬＤ，organic electro-luminescent display）等である。なお、表示装置４の前面側には、面４ａを覆った薄板状またはシート状の透明なタッチパネル（入力パネル、入力シート、入力装置、図示されず）や、カバー等が設けられてもよい。なお、タッチパネルは、表示装置４に、所謂インセルタッチパネルとして設けられてもよい。
【００１４】
また、本実施形態では、一例として、筐体２内の、表示装置４の後側（裏側、背後側、壁部２ｍ側、面４ａとは反対側）には、回路基板（基板、制御基板、メイン基板、プリント基板、図示されず）が収容されている。基板は、表示装置４の面４ａとは反対側の面（裏面、図示されず）と平行に設けられている。また、基板は、壁部２ｋ，２ｍ，２ｎ等と離間した状態で、すなわち、壁部２ｋ，２ｍ，２ｎ等との間に空間が形成された状態で、設けられている。また、基板は、例えばねじ等の結合具（図示されず）によって、表示装置４あるいは筐体２に固定される。
【００１５】
基板には、コネクタの他、ＣＰＵ（central processing unit）等の複数の部品（電気部品、電子部品、素子、図示されず）が実装されている。部品には、発熱体が含まれる。発熱量の大きな部品（発熱体）に対応して、冷却機構（受熱部、伝熱部、放熱部、ファン等、図示されず）を設けることができる。そして、回路基板および部品によって、制御回路（図示されず）の少なくとも一部が構成されている。制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）等）、音声信号処理回路等を、含むことができる。制御回路は、表示装置４の面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００１６】
また、本実施形態では、一例として、図１〜４に示されるように、筐体２は、複数の部材２１〜２６（部品、分割体）が組み合わせられて構成されている。具体的には、筐体２は、表示装置４の正面側（前側）かつ周縁側を覆う部材２１〜２４（前側部材、フレーム、ベゼル、カバー）と、下側（側方）を覆う部材２５（下側部材、フレーム）と、下側の角部に位置された部材２６（角部部材、キャップ）と、を有する。また、図示されないが、筐体２は、表示装置４の裏面側（後側、背面側、背後側）を覆う部材（後側部材、ベース、ボトム、ケース）も有する。本実施形態では、一例として、壁部２ｋおよび壁部２ｎは、部材２１〜２４に含まれ、壁部２ｍは、表示装置４の裏面側を覆う部材に含まれる。また、本実施形態では、部材２１は第一の部材の一例であり、部材２２は第二の部材の一例であり、部材２５，２６は第三の部材の一例である。
【００１７】
部材２１の壁部２ｋ１は、表示装置４の端部４ｃに沿って延びている。また、壁部２ｋ１は、端部４ｃを、表示装置４の面４ａの正面側（前側）から覆っている。また、部材２１の壁部２ｎ１は、壁部２ｋ１の周縁側から背後側に延びている。また、壁部２ｎ１は、表示装置４の端部４ｃを側方から（周縁側から）覆っている。本実施形態では、部材２１の壁部２ｋ１（２ｋ）は第一の壁部の一例であり、部材２１の壁部２ｎ１（２ｎ）は第二の壁部の一例である。図６，８に示されるように、部材２１は、壁部２ｋ１と壁部２ｎ１とが互いに直交したＬ字状の断面形状を有している。壁部２ｋ１および壁部２ｎ１の筐体内側には、それぞれ連結部材２７，２８が挿入される凹部２９が設けられている。なお、部材２３は、部材２１と同様の構成とすることができる。
【００１８】
部材２２の壁部２ｋ２は、表示装置４の端部４ｄに沿って延びている。また、壁部２ｋ２は、端部４ｄを、表示装置４の面４ａの正面側（前側）から覆っている。また、部材２２の壁部２ｎ２は、壁部２ｋ２の周縁側から背後側に延びている。また、壁部２ｎ２は、表示装置４の端部４ｄを側方から（周縁側から）覆っている。本実施形態では、部材２２の壁部２ｋ２（２ｋ）は第三の壁部の一例であり、部材２２の壁部２ｎ２（２ｎ）は第四の壁部の一例である。図９に示されるように、部材２２は、壁部２ｋ２と壁部２ｎ２とが互いに直交したＬ字状の断面形状を有している。壁部２ｋ２および壁部２ｎ２の筐体内側にも、それぞれ連結部材２７，２８が挿入される凹部２９が設けられている。なお、部材２４は、部材２２と同様の構成とすることができる。
【００１９】
部材２１と部材２２とは、角部２ｇで突き合わせられている。部材２１の壁部２ｋ１の端面２１ａ（図６，８参照）と、部材２２の壁部２ｋ２の端面２２ａ（図９参照）とが、パーティングラインＰＬ（パーティングプレーン、分割線、分割面、境界部分、合わせ面、衝合面、突き合わされた部分、図１〜９参照）を構成している。パーティングラインＰＬは、テレビジョン受像機１の筐体２の正面視では直線状の外観を呈し、部材２１，２２の各々では、平面（Ｚ方向に沿った平面）として構成される。
【００２０】
また、本実施形態では、一例として、パーティングラインＰＬは、正面視（図１〜３の視線）で、Ｘ方向およびＹ方向の双方に交叉した斜め方向に沿って設けられている。具体的には、図３に示されるように、開口部２ｒの角部２ｒ１（第二の角部）と、部材２１または部材２２の角部（本実施形態では、一例として部材２１の角部２ｇ、第三の角部）からＸ方向またはＹ方向（本実施形態では、一例として、Ｘ方向）に沿った方向に離れた位置ＰＳとの間に亘る直線状に構成されている。すなわち、本実施形態では、一例として、壁部２ｋのパーティングラインＰＬは、内側（開口部２ｒ側）の角部２ｒ１と外側（周縁側）の角部２ｇとの間に亘るのではなく、内側の角部２ｒ１と外側の角部２ｇから少しずれた位置ＰＳとの間に亘っている。言い換えれば、本実施形態によれば、一例としては、矩形枠状の壁部２ｋのパーティングラインＰＬの外側（周縁側）の位置ＰＳが、角部２ｇからずれている。パーティングラインＰＬが角部２ｇに重なった（位置された）場合、部材２１および部材２２ともにパーティングラインＰＬに臨む部分が、シャープエッジを有することになる。シャープエッジは、一般的に変形したり損傷したりしやすい。この点、本実施形態では、一例として、パーティングラインＰＬが角部２ｇからずれているため、いずれか一方にはシャープエッジが形成されない。よって、本実施形態によれば、一例としては、パーティングラインＰＬの部分で、部材２１または部材２２の損傷が生じにくい。
【００２１】
また、本実施形態では、一例として、図３，６からわかるように、角部２ｇと位置ＰＳとの間には、壁部２ｋ１の端面２１ａは存在しない。壁部２ｋ１の端面２１ａは、Ｘ方向およびＹ方向に交叉した方向に沿って延びて壁部２ｋ２の端面２２ａ（図９参照）に面した領域を有し、Ｘ方向に沿った領域は有していない。ここで、仮に、図１０（参考例）に示されるように、位置ＰＳが、壁部２ｎ１の筐体内側の面２ｕの壁部２ｋ１（の筐体内側の面２ｖ）との境界線Ｌ（端部、図３，６，１０参照）よりも角部２ｇからＸ方向に離れる側に位置された場合、壁部２ｋ１には、凸部２ｓ（屈曲部）が生じ、これに対応して、部材２２には、壁部２ｋ２と壁部２ｎ２との間に凹部２ｔ（切欠）を設ける必要が生じる。凹部２ｔが設けられた図１０の構成では、部材２２に凹部２ｔを加工する分、手間やコストが増大されやすい。パーティングラインＰＬに面した部材２１の凸部２ｓや部材２２の凹部２ｔは、位置ＰＳが境界線Ｌと重なるか当該境界線Ｌよりも角部２ｇ側に位置された場合（すなわち、パーティングラインＰＬが、壁部２ｎ１と交叉する場合）には生じない。この場合には、一例としては、図１０の構成に比べて、製造の手間やコストが低減されやすい。また、図３と図１０とを比較すれば明らかとなるように、一例としては、正面視でのパーティングラインＰＬの形状が、より簡素化されやすい。よって、一例としては、美観がより向上されやすい。
【００２２】
さらに、本実施形態では、一例として、図４に示されるように、パーティングラインＰＬを壁部２ｎ２の表示装置４とは反対側から覆う部材２５，２６が設けられている。よって、本実施形態によれば、一例としては、壁部２ｎ２側ではパーティングラインＰＬが部材２５，２６によって覆われる（隠される）。よって、一例としては、パーティングラインＰＬが露出することによる不都合な事象（例えば、隙間ができる、美観が損なわれやすい等）が生じない。また、連結部材２７，２８は、一例としては、壁部２ｋ１，２ｋ２の面２ａと同様の表面性状（例えば、色、光の反射率等）を有する。パーティングラインＰＬで隙間から筐体内側が見えた場合に、美観が損なわれにくい。連結部材２７，２８は、パーティングラインＰＬを筐体内側から覆う部材の一例である。
【００２３】
また、本実施形態では、一例として、図３，５等に示されるように、壁部２ｎ２の筐体外側の面２ｐが、壁部２ｎ１の端面２ｗよりも表示装置４から離れる側に突出している。よって、壁部２ｎ１と壁部２ｎ２とのパーティングラインＰＬが、壁部２ｎ２の端面２ｘよりも突出した部分によって、下方から覆われる。よって、本実施形態によれば、一例としては、パーティングラインＰＬが下方から見えにくくなり、部材２１，２２の製造ばらつき等によって隙間が生じた場合にあっても当該隙間が見えにくくなる。このような構成は、部材２５，２６が設けられない場合に、有効となる場合がある。
【００２４】
以上、説明したように、本実施形態では、一例として、筐体２を構成する部材２１（第一の部材）と部材２２（第二の部材）とのパーティングラインＰＬが、面４ａ（表示画面）に対する正面視で、角部２ｒ１（第二の角部）と角部２ｇ（第三の角部）からＸ方向に離れた位置ＰＳとの間で、Ｘ方向およびＹ方向に交叉した方向に延びた直線状に構成されている。よって、本実施形態によれば、一例としては、部材２１，２２の一方がシャープエッジを有しない構成とすることができる。また、本実施形態によれば、一例としては、パーティングラインＰＬが、角部２ｇに隣接する一方の端部（本実施形態では、一例として、端部２ｄ）側に位置されるため、角部２ｇに隣接する他方の端部（本実施形態では、一例として、端部２ｃ）側がより露出されやすく一方の端部側がより露出されにくい構成やレイアウトである場合に、パーティングラインＰＬによる不都合な事象が生じ難くなる。
【００２５】
また、本実施形態では、一例として、Ｘ方向に沿って延びた端部２ｄがＹ方向に沿って延びた端部２ｃより長く、パーティングラインＰＬが、開口部２ｒの第二の角部２ｒ１と、角部２ｇからＸ方向に離れた位置ＰＳと、の間で直線状に構成されている。すなわち、一例として、パーティングラインＰＬの周縁側の位置ＰＳが角部２ｇからＸ方向（表示装置４の長手方向、第二の方向）に離れている。さらに、本実施形態では、一例として、テレビジョン受像機１が載置面Ｐ上に載置された状態で、端部２ｃが当該端部２ｃとは反対側の端部２ｅよりも載置面Ｐの近くに位置されている。すなわち、位置ＰＳが、載置面Ｐに載置された状態での載置面Ｐ側に位置されている。よって、テレビジョン受像機１が載置面Ｐ上に載置された場合に、位置ＰＳが筐体２の側方では無く下方または上方に位置されるため、ユーザ等から見えにくくなる。
【００２６】
また、図１１に示される変形例では、一例として、表示画面４ａに対する正面視で壁部２ｋ１（第一の壁部）の面２ｐ（外面、外縁）をなす直線またはその延長線Ｌ１と、正面視で壁部２ｋ２（第二の壁部）の面２ｐ（外面、外縁）をなす直線またはその延長線Ｌ２と、の交点ＰＣが、パーティングラインＰＬ（境界部分）を含む直線ＬＳとずれて位置される。かかる構成でも上記実施形態と同様の構成に基づく同様の効果が得られる。この場合、一例として、直線ＬＳは、交点ＰＣと境界線Ｌとの間で、直線または延長線Ｌ２と交叉することができる。また、パーティングラインＰＬの開口部２ｒ側の端部は、一例として、開口部２ｒ側の角部２ｒ１（曲部）に設けられた湾曲部分に位置することができる。パーティングラインＰＬの位置や、部材２１，２２の形状は、適宜に変更して実施することができる。
【００２７】
以上、本発明の実施形態について説明したが、上記実施形態は一例に過ぎない。本発明は上記実施形態には限定されず、種々の変形が可能である。上記実施形態や変形例の技術的特徴は、適宜に組み合わせて実施することができる。また、各構成要素のスペック（構造や、種類、方向、形状、大きさ、長さ、幅、厚さ、高さ、数、配置、位置、材質等）は、適宜に変更して実施することができる。本発明は、テレビジョン受像機以外の例えばモニタ等の映像表示装置として構成することもできる。上記実施形態では、部材２１と部材２２との境界部分の構造について説明したが、本実施形態にかかる構造は、部材２２と部材２３との境界部分や、部材２１と部材２４との境界部分、部材２３と部材２４との境界部分にも同様に適用することができる。また、境界部分で、二つの部材の端縁（端面）に隙間がある場合には、当該二つの部材の端縁（端面）が、境界部分に相当する。すなわち、二つの部材の端縁（端面）が上記境界部分の条件を満たせばよい。
【符号の説明】
【００２８】
１…テレビジョン受像機、２…筐体、２ｇ…角部（第三の角部）、２ｋ１…壁部（第一の壁部）、２ｋ２…壁部（第三の壁部、第二の壁部）、２ｎ１…壁部（第二の壁部）、２ｎ２…壁部（第四の壁部）、２ｐ…（筐体外側の）面、２ｒ…開口部、２ｒ１…角部（第二の角部）、２ｕ…（筐体内側の）面、２ｗ…端面、２１…部材（第一の部材）、２２…部材（第二の部材）、２５…部材（第三の部材）、２６…部材（第三の部材）、４…表示装置、４ａ…面（表示画面）、４ｃ…端部（第一の端部）、４ｄ…端部（第二の端部）、４ｇ…角部（第一の角部）、Ｌ…境界線、Ｌ１，Ｌ２…直線または延長線、ＬＳ…直線、ＰＬ…パーティングライン（突き合わされた部分、境界部分）、ＰＳ…位置、Ｘ…第一の方向、Ｙ…第二の方向。
【図１】
2014131244.tif 000003
【図２】
2014131244.tif 000004
【図３】
2014131244.tif 000005
【図４】
2014131244.tif 000006
【図５】
2014131244.tif 000007
【図６】
2014131244.tif 000008
【図７】
2014131244.tif 000009
【図８】
2014131244.tif 000010
【図９】
2014131244.tif 000011
【図１０】
2014131244.tif 000012
【図１１】
2014131244.tif 000013